(57)【特許請求の範囲】
【請求項１】
玄関子機、居室親機、増設親機を備えたインターホンシステムにおいて、
前記居室親機または前記増設親機に、他の親機との通話回線が双方向の通話を可能とする対話モードで接続中、他の親機への送話を消音モードに設定変更したり、消音モードで接続中に消音モードを解除して対話モードに設定変更するミュート手段と、
他の親機との通話回線が接続される前に、他の親機を選局したら前記他の親機との双方向の通話を可能とした対話モードによる通話回線の接続と、前記他の親機との送話のみを可能とする拡声モードによる通話回線の接続との二者選択を可能とする対話／拡声モード設定手段とを設け、
前記対話／拡声モード設定手段の操作と前記ミュート手段の操作とが、同一の物理的操作手段によって実行されることを特徴とするインターホンシステム。
【請求項２】
前記居室親機または前記増設親機は、他の親機との通話回線が接続される前に、他の親機から選局されると、前記他の親機と双方向の通話を可能とした対話モードにて接続される設定と、送話を消音モードにする設定とを交互に変更可能な対話／消音モード設定手段を設けたことを特徴とする請求項１記載のインターホンシステム。
【請求項３】
前記居室親機または前記増設親機は、前記ミュート手段または対話／消音モード設定手段により他の親機への送話が消音モードに設定されていることをミュート手段を操作した親機に知らせるための報知手段を備えたことを特徴とする請求項２記載のインターホンシステム。
【請求項４】
前記居室親機または前記増設親機は、前記ミュート手段または対話／消音モード設定手段により他の親機からの送話が消音モードに設定されていることを他の親機に知らせるための報知手段を備えたことを特徴とする請求項２又は３の何れかに記載のインターホンシステム。。
【請求項５】
玄関子機、居室親機、増設親機を備えたインターホンシステムにおいて、
前記居室親機または前記増設親機に、前記玄関子機との通話回線が双方向の通話を可能とする対話モードで接続中、玄関子機への送話を消音モードに設定変更したり、消音モードで接続中に消音モードを解除して対話モードに設定変更するミュート手段と、
他の親機との通話回線が接続される前に、他の親機を選局したら前記他の親機との双方通話を可能とした対話モードによる通話回線の接続と、前記他の親機との送話のみを可能とする拡声モードによる通話回線の接続との二者選択を可能とする対話／拡声モード設定手段とを設け、
前記対話／拡声モード設定手段の操作と前記ミュート手段の操作とが、同一の物理的操作手段によって実行されることを特徴とするインターホンシステム。
【請求項６】
前記居室親機または前記増設親機は、前記通話回線の接続を遮断した場合、前記機能設定手段によるモード設定を前記通話回線が接続された直前の状態に戻す機能を設けたことを特徴とする請求項５記載のインターホンシステム。
【発明の詳細な説明】
【技術分野】
【０００１】
本発明はインターホンシステムに係り、特にハンズフリーのインターホンシステムにおいて、プライバシー保護機能を強化したインターホンシステムに関する。
【背景技術】
【０００２】
内線一斉通話呼び出し機能を有したインターホン装置にあっては、１つの親機から一斉呼び出しがかかると、各部屋と強制的に対話可能になってしまうので、突然に一斉呼び出しがかかると、呼び出された側は、聞かれたくない会話を聞かれてしまうことがある。
そこで、例えば特許文献１記載のように、呼び出される側は、必要に応じて、一斉呼び出し時に双方向の通話を許容するか否かを、トークバック設定機能により選択可能としたインターホン装置が提案されている。
【０００３】
そのインターホン装置によれば、トークバックの設定がなされていれなければ、呼び出された側には呼び出しをかけた親機からの音声は伝わるものの、呼び出しをかけた親機は、呼び出された側からの音声を聞くことはできない。
また、その状態で呼び出された側は、一旦会話を中止して、所定の操作によって呼び出しをかけた親機と双方向の通話を可能にすることができるし、呼び出しをかけた親機が、呼び出された側からの返答がないままの状態が続いて切り忘れたとしても、通話回線は自動的に切断される。
【０００４】
【特許文献１】特開平１１−２７５２３８号公報
【発明の開示】
【発明が解決しようとする課題】
【０００５】
従来のインターホン装置にあっては、一斉呼び出しに限ってトークバック設定が可能となっていて、少なくとも同居している身内同士や、マンションの管理人と居住者といったような親しい間柄や顔見知りの関係を想定しており、プライバシー重視の観点で設けられた機能である。
しかしながら玄関子機や他の親機からの呼び出しに対しては無防備であるので、例えば居室内で秘密の会話の最中に、玄関子機や他の親機から呼び出しをかけられた場合、居室内の親機にて応答すると会話の内容が玄関子機や他の親機へ筒抜けになってしまう。
本発明は、上述の難点を解消するためになされたもので、他の親機から呼び出された場合、必要に応じて居室内の会話などを他の親機で聞かれないようにする使い勝手の良いインターホンシステムを提供することを目的としている。
【課題を解決するための手段】
【０００６】
本発明は、玄関子機、居室親機、増設親機を備えたインターホンシステムにおいて、居室親機または増設親機に、他の親機との通話回線が双方向の通話を可能とする対話モードで接続中、他の親機への送話を消音モードに設定変更したり、消音モードで接続中に消音モードを解除して対話モードに設定変更するミュート手段と、他の親機との通話回線が接続される前に、他の親機を選局したら他の親機との双方通話を可能とした対話モードによる通話回線の接続と、他の親機との送話のみを可能とする拡声モードによる通話回線の接続との二者選択を可能とする対話／拡声モード設定手段とを設け、対話／拡声モード設定手段の操作と前記ミュート手段の操作とが、同一の物理的操作手段によって実行される構成にあり、居室親機または増設親機は、他の親機との通話回線が接続される前に、他の親機から選局されると、他の親機と双方向の通話を可能とした対話モードにて接続される設定と、送話を消音モードにする設定とを交互に変更可能な対話／消音モード設定手段を設けたり、居室親機または増設親機は、ミュート手段または対話／消音モード設定手段により他の親機への送話が消音モードに設定されていることをミュート手段を操作した親機に知らせるための報知手段を備えたり、居室親機または増設親機は、ミュート手段または対話／消音モード設定手段により他の親機からの送話が消音モードに設定されていることを他の親機に知らせるための報知手段を備えることができる。
【０００７】
更に本発明は、玄関子機、居室親機、増設親機を備えたインターホンシステムにおいて、居室親機または増設親機に、玄関子機との通話回線が双方向の通話を可能とする対話モードで接続中、玄関子機への送話を消音モードに設定変更したり、消音モードで接続中に消音モードを解除して対話モードに設定変更するミュート手段と、他の親機との通話回線が接続される前に、他の親機を選局したら他の親機との双方通話を可能とした対話モードによる通話回線の接続と、他の親機との送話のみを可能とする拡声モードによる通話回線の接続との二者選択を可能とする対話／拡声モード設定手段とを設け、対話／拡声モード設定手段の操作と前記ミュート手段の操作とが、同一の物理的操作手段によって実行される構成にあり、居室親機または増設親機は、通話回線の接続を遮断した場合、機能設定手段によるモード設定を通話回線が接続された直前の状態に戻す機能を設けることができる。
【発明の効果】
【０００８】
請求項１の発明によれば、他の親機と通話中に居室内での相談ごとが発生した場合であっても送話を消音モードに設定変更することで、他の親機側で盗み聞きされる虞がなく、ミュート手段と対話／消音モード設定手段及び対話／拡声モード設定手段の物理的な操作手段を兼用することができる。
そして請求項２の発明によれば、他の親機から呼び出しがあってもいきなり対話状態になることがないし、また請求項３の発明によれば、請求項２において居住者に現在のモードを認識させることができ、更に請求項４の発明によれば、請求項２または請求項３において他の居住者に現在のモードを認識させることができる。
【０００９】
請求項５の発明によれば、玄関子機、居室親機、増設親機を備えたインターホンシステムにおいて居室親機と増設親機は、玄関子機と対話モードで接続中に居室内での相談ごとが発生した場合であっても、玄関子機への送話を消音モードに設定変更することで、訪問者に聞かれる虞をなくすことができるし、ミュート手段と対話／消音モード設定手段及び対話／拡声モード設定手段の物理的な操作手段を兼用することができる。更に、請求項６の発明によれば、請求項５において、終話したら元のモードに自動的に戻すことにより、機能設定やモード設定の戻し忘れをなくすことができる。
【発明を実施するための最良の形態】
【００１０】
本発明に係るインターホンシステムの好ましい形態の実施例について、図面を参照して説明する。
本発明によるインターホンシステムは図１の（ａ），（ｂ）に示すように、玄関子機１、居室親機２、増設親機３とから構成されており、玄関子機１は、呼出ボタン１１、スピーカ１２、マイク１３、カメラ１４、ＬＥＤ１５とから構成されている。
尚、図１（ａ）の居室親機２は制御機内蔵タイプであって、玄関子機１と居室親機２、及び増設親機３とがデージーチェーン接続されたシステム構成例を示し、図１（ｂ）の居室親機２は、外付けタイプの制御機４を介し、それぞれ玄関子機１と増設親機３とが分岐接続されたシステム構成を示す。
【００１１】
また、居室親機２は、図２に示すように、復調回路２１、モニタ２２、通話回路２３、スピーカ２４、マイク２５、操作手段２６、モニタボタン２７、親機Ｉ／Ｆ２８、ＣＰＵ２９に加え、ミュートボタン３０、ＬＥＤ３１を装備し、ミュートボタン３０は、玄関子機１または他の親機と通話回線が接続されていない待機中、他の親機から選局されると、他の親機と双方向の通話を可能とした対話モードにて接続される設定と、送話を消音モードにする設定とを交互に変更可能な対話／消音モード設定手段、及び、他の親機を選局したら他の親機との双方方向通話を可能とした対話モードによる通話回線の接続と、他の親機との送話のみを可能とする拡声モードによる通話回線の接続との二者選択を可能とする対話／拡声モード設定手段として動作し、居室親機２と玄関子機１、或いは居室親機２と増設親機３間で通話回線が双方向の通話を可能とする対話モードで接続中、送話を消音モードに設定変更したり、消音モードで接続中に消音モードを解除して対話モードに設定変更するミュート手段として機能する。
また、ＬＥＤ３１（玄関子機のＬＥＤ１５も同様）は、消音モードに設定されているとき点灯するようになっている。
そして増設親機３も、居室親機とほぼ同様な機能構成が採られている。
【００１２】
このように構成されたインターホンシステムについて、以下、図３のフローチャートを参照しつつその動作を説明する。
まず、玄関子機１と居室親機２（増設親機３）間の動作について説明する。
玄関子機１の呼出ボタン１１が押下されると、呼出信号が待ち受けモード（Ａ）で待機中の居室親機２および増設親機３で検出され、居室親機２（増設親機３）にてスピーカ２４から呼出音が鳴動するとともに、図示しない電源供給回路から玄関子機１のカメラ１４へ電源が供給され、カメラ１４にて撮影された映像がモニタ２２に出画される。
この状態において、居室親機２（増設親機３の動作は居室親機と同じであるので、以下増設親機に関する重複説明は省略する）では、ＣＰＵ２９の制御により玄関子機呼出操作（Ｂ）が行われ、玄関子機１と居室親機２間の通話回線が接続されると、玄関子機１のマイク１３にて拾われた音声が通話回路２３を介してスピーカ２４から放音される。
この呼び出しを確認し、操作手段２６によって対話操作（Ｃ）を実行すれば、玄関子機１と居室親機２との間で双方向の通話が成立する（Ｄ）。
【００１３】
このとき、呼出ボタン１１を押下した相手と応対したくない場合や、相手に気づかれないよう内々で打ち合わせをしたい場合、重要な会議の内容を一部でも漏らしたくない場合などには、ミュート手段としてのミュートボタン３０を押下する（Ｅ）。
これを検出したＣＰＵ２９は、通話回路２３を制御して、マイク２５が拾った音声が玄関子機１のスピーカ１２から漏れることのないように、玄関子機１への送話が消音モードに設定変更する。
それと同時に、通話回線が消音モードで接続されていることを居住者および来訪者がわかるようにそれぞれＬＥＤ１５、３１を点滅或いは点灯させるなどして知らせる。
対話モードに設定変更したい場合には、ミュートボタン３０を再度押下することにより消音モードを解除できる。
なお、通話相手との会話が終わったら、終話操作（Ｆ）をすれば待受けモード（Ａ）に戻る。
【００１４】
次に、居室親機、増設親機間の動作について説明する。
居室親機２と増設親機３とは、通話回線が接続される前、即ち待受けモード時に、呼び出された親機側でミュートボタン３０を押下しておくと、送話を消音モードに設定する対話／消音モード設定手段が働き、また、同じく待受けモード時に呼び出し側の親機でミュートボタン３０が押下してあれば、送話のみを可能とする拡声モードに設定する対話／拡声モード設定手段が働くようになっている。
よってミュートボタン３０が押下されていなければ、居室親機２と増設親機３間では、居室親機２から増設親機３を選局スイッチ等を用いて室内呼出操作（Ｇ）すると、呼び出された増設親機３では呼び出し音が報知されると共に、呼び出しをおこなった居室親機２との通信回路が対話モードにて接続される（Ｈ）。
尚、増設親機３から居室親機２を呼び出したり、増設親機３，３同士で呼出す場合にも同様の動作がおこなわれる。
【００１５】
呼び出された親機側で対話／消音モード設定手段（Ｉ）が働いていると、呼び出された親機側は消音モードのため応答することはできないが、通話回線が接続中にミュートボタン３０を押下することで、消音モードを対話モードに設定変更し（Ｅ）、双方向の通話を可能にすることができる。
対話／消音モード設定手段は、密談中に、突然予想外の呼び出しがあった場合に重宝する。
呼び出し側の親機で対話／拡声モード設定手段（Ｉ）により拡声モード（Ｊ）が設定されていると、呼び出された側の親機からの応答は一切できない。
【００１６】
このインターホンシステムでは、玄関子機１から呼出操作がされた場合には、前述した玄関子機１と居室親機２との動作と同様に、呼出信号が居室親機２および増設親機３で検出され（以下、増設親機の動作を省略する）、スピーカ２４から呼出音が鳴動するとともに、図示しない電源供給回路から玄関子機１のカメラ１４へ電源が供給されることにより映像がモニタ２２に出画される（詳述せず）。
そして、ミュートボタン３０の設定に関わらず居室親機２のＣＰＵ２９の制御により対話モードへと移行し、玄関子機１のマイク１３からの音声が通話回路２３を介してスピーカ２４で報知される。
【００１７】
この呼び出しを確認して対話操作（Ｃ）が行われると玄関子機１と居室親機２との間で通話回線が対話モードで接続される。
このときミュートモードに設定してある場合には、その設定を解除することはいうまでもない。
従って、なにかの勧誘で玄関子機から呼び出され、対応した居住者が他の居住者とだけ話をしたい場合には、ミュートボタン３０を押下すると、これを検出したＣＰＵ２９は、通話回路２３を制御して、マイク２５から入力された音声が玄関子機１のスピーカ１２から報音されないように消音モードに設定変更する。
また、終話操作（Ｆ）がなされた場合においては、呼出操作がなされる前の状態を記憶しておいて、その状態に自動的に復旧させる機能も搭載されている。
【００１８】
このようにミュートボタン３０が、ミュート手段と対話／消音モード設定手段及び対話／拡声モード設定手段の物理的な操作を兼用しているので、機能設定専用のボタンを設ける必要がない。
ミュート手段（対話／消音モード設定手段及び対話／拡声モード設定手段）に利用する物理的な操作手段は、ボタンスイッチを押下する操作以外に、ボタンを押し続ける操作や、スライドスイッチの切り換え操作、タッチパネルとの接触操作などを挙げることができる。
また、消音モードであることを知らせる報知手段は、ＬＥＤの点灯、点滅ばかりでなく、モニタにアイコンやメッセージ文を表示したり、音声にて報知させることもできる。
更に、本発明は一戸建ての住宅用、集合住宅用、ナースコール装置など、あらゆるインターホンシステムに対応可能であり、管理親機や、複数の玄関子機、増設親機から更に増設親機が複数台分岐接続されることもある。
【図面の簡単な説明】
【００１９】
【図１】（ａ），（ｂ）はいずれも本発明に係るインターホンシステムの説明図である。
【図２】居室親機（増設親機）の説明図である。
【図３】動作のフローチャート図である。
【符号の説明】
【００２０】
１・・玄関子機、２・・居室親機、３・・増設親機、４・・制御機、１１・・呼出ボタン、１２・・スピーカ、１３・・マイク、１４・・カメラ、１５・・ＬＥＤ、２１・・復調回路、２２・・モニタ、２３・・通話回路、２４・・スピーカ、２５・・マイク、２６・・操作手段、２７・・モニタボタン、２８・・親機Ｉ／Ｆ、２９・・ＣＰＵ、３０・・ミュートボタン、３１・・ＬＥＤ。
【図１】
0004682006.tif 000002
【図２】
0004682006.tif 000003
【図３】
0004682006.tif 000004